(57)【要約】【課題】洗浄器の構成部品を簡素にして安価にするとともに、安全性を高くする。【解決手段】便座（２）の後部に支持台（６）を設け、該支持台（６）に噴出管（１０）を前記便座（２）の後部から前方に向けて出没可能に設け、前記支持台（６）に前記便座（２）の一側部にて前方に向かって突出するアーム（１５）を設け、該アーム（１５）に操作具（１６）を前後動可能に設け、前記操作具（１６）の前後動と前記噴出管（１０）の前後動とを連動させる連動機構（２０）を設け、前記支持台（６）に前記噴出管（１０）への水の供給を許容・遮断する止水栓（３０）を設け、前記操作具（１６）と前記止水栓（３０）との間に操作具（１６）の前後動と止水栓（３０）の開閉とを連動させるリンク機構（３２）を設ける。【選択図】　　　図２
2004027816.tif 000002
【特許請求の範囲】
【請求項１】
便座（２）の後部に支持台（６）を設け、該支持台（６）に噴出管（１０）を前記便座（２）の後部から前方に向けて出没可能に設け、前記支持台（６）に前記便座（２）の一側部にて前方に向かって突出するアーム（１５）を設け、該アーム（１５）に操作具（１６）を前後動可能に設け、前記操作具（１６）の前後動と前記噴出管（１０）の前後動とを連動させる連動機構（２０）を設け、前記支持台（６）に前記噴出管（１０）への水の供給を許容・遮断する止水栓（３０）を設け、前記操作具（１６）と前記止水栓（３０）との間に操作具（１６）の前後動と止水栓（３０）の開閉とを連動させるリンク機構（３２）を設けたことを特徴とする洗浄器付き便座。
【請求項２】
連動機構（２０）は、操作具（１６）に駆動ラック（２１）を、噴出管（１０）に被動ラック（２２）をそれぞれ設け、前記駆動ラック（２１）と被動ラック（２２）とに噛み合う一次ピニオン（２３）と二次ピニオン（２４）とを設け、前記一次ピニオン（２３）の回転を前記二次ピニオン（２４）に伝達する伝導具（２５）を設けたことを特徴とする請求項１記載の洗浄器付き便座。
【請求項３】
連動機構（２０−１）は、操作具（１６−１）と吐出管（１０）との間に左右に延長する作動レバー（３６）を設けるとともに、該作動レバー（３６）の左右中間部を支持台（６）に上下軸線を中心として回動可能に連結し、該作動レバー（３６）の一方の端部を前記操作具（１６−１）に、他方の端部を前記吐出管（１０）にそれぞれ上下方向の軸線を中心として回動可能に連結したことを特徴とする請求項１記載の洗浄器付き便座。
【請求項４】
吐出管（１０）から作動レバー（３６）と反対側に延びるバランスレバー（３７）を設け、該バランスレバー（３７）の一方の端部を前記吐出管（１０）に、他方の端部を支持台（６）側にそれぞれ上下方向の軸線を中心として回動可能に連結したことを特徴とする請求項３記載の洗浄器付き便座。
【請求項５】
止水栓（３０）はボール止水栓としたことを特徴とする請求項１〜４いずれか１項に記載の洗浄器付き便座。
【発明の詳細な説明】
【０００１】
【発明の属する技術分野】
本発明は、使用者の排便部を水洗する洗浄器付き便座に関するものである。
【０００２】
【従来の技術】
従来の便座に取り付ける洗浄器は、その噴出管の前後動をモーターにより行ない、また、上記噴出管に水を供給する止水栓の開閉は電磁弁によって行うようにしていた。
【０００３】
【発明が解決しようとする課題】
上記従来のものは、所定のスイッチを操作するのみで、洗浄器を作動させることができるので操作が簡便であった。しかしながら、特殊な機器、制御部品を要するとともに動力源として電気を必要とし、高価になるとともに維持費が嵩み、さらに安全性の乏しいものであった。本発明は洗浄器の作動が簡素な手動操作で行なえるようにすることにより上記欠点を解消した新規な洗浄器付き便座を得ることを目的とする。
【０００４】
【課題を解決するための手段】
本発明は、上記目的を達成するために以下の如く構成したものである。即ち、請求項１に係る発明は、便座の後部に支持台を設け、該支持台に噴出管を前記便座の後部から前方に向けて出没可能に設け、前記支持台に前記便座の一側部にて前方に向かって突出するアームを設け、該アームに操作具を前後動可能に設け、前記操作具の前後動と前記噴出管の前後動とを連動させる連動機構を設け、前記支持台に前記噴出管への水の供給を許容・遮断する止水栓を設け、前記操作具と前記止水栓との間に操作具の前後動と止水栓の開閉とを連動させるリンク機構を設ける構成にしたものである。
請求項２に係る発明は、連動機構として、操作具に駆動ラックを、噴出管に被動ラックをそれぞれ設け、前記駆動ラックと被動ラックとに噛み合う一次ピニオンと二次ピニオンとを設け、前記一次ピニオンの回転を前記二次ピニオンに伝達する伝導具を設ける構成にしたものである。
請求項３に係る発明は、連動機構として、操作具と吐出管との間に左右に延長する作動レバーを設けるとともに、該作動レバーの左右中間部を支持台に上下軸線を中心として回動可能に連結し、該作動レバーの一方の端部を前記操作具に、他方の端部を前記吐出管にそれぞれ上下方向の軸線を中心として回動可能に連結する構成にしたものである。
請求項４に係る発明は、吐出管から作動レバーと反対側に延びるバランスレバーを設け、該バランスレバーの一方の端部を前記吐出管に、他方の端部を支持台側にそれぞれ上下方向の軸線を中心として回動可能に連結する構成にしたものである。
請求項５に係る発明は、前記止水栓をボール止水栓としたものである。
【０００５】
【発明の実施の形態】
以下本発明の実施例を図面に基づいて説明する。図において、図１は本発明が適用される洗浄器付き便器の斜視図、図２は本発明の第１実施例を示す説明用斜視図、図３は図２の部分平面図、図４は本発明の第２実施例を示す説明用斜視図、図５は本発明の第３実施例による作動初期時の要部斜視図、図６は本発明の第３実施例による作動状態を示す要部斜視図、図７は本発明の第４実施例を示す部分拡大斜視図、図８は本発明の第５実施例を示す部分拡大斜視図である。
【０００６】
図１において、Ａは洋式の便器、１は該便器Ａに取り付けた洗浄器付き便座、２は便座、５は洗浄器である。上記便座２は平面視リング状に形成され、その後部側でホルダ３に上下回動可能に取り付けられる。該ホルダ３は支持台６を介して便器Ａの後部上面に固定される。４はカバーであり、その後部側で上記ホルダ３に上下回動可能に取り付けられ、便座２を上から覆うようになっている。
【０００７】
洗浄器５は図２、図３に示すようになっている。即ち、左右方向に細長い支持台６を上記便器Ａの後部に配置してボルト締め固定し、該支持台６の左右中心部にブラケット７（図３）を起立固定し、また図３において左端部に細長いアーム１５を前方に向けて突出固定する。上記ブラケット７は上面が後部から前方に向かって下り傾斜する側面視三角形状に形成するとともに、その上面に前方に向かって下り傾斜するガイド７ａを形成する。
【０００８】
上記ガイド７ａに噴出管１０を前後摺動可能に嵌合させる。この噴出管１０はその前端を閉塞するとともに、該前端部の上面に複数の噴出口１０ａを形成し、後端部に水の供給ホース１１を接続し、該供給ホース１１から供給された水を上記噴出口１０ａから上方に向けて噴出するようになっている。また、上記アーム１５は、図３において便座２の左側部にて前後方向に延出し、箱状に形成されてその上面に前後方向に細長いガイド１５ａを有する。このガイド溝１５ａに前後方向に細長い板状の操作具１６を摺動可能に嵌合させる。
【０００９】
上記操作具１６の前後動と上記噴出管１０の前後動とを連動させる連動機構２０を設ける。即ち、図２に示すように、上記操作具１６の下面及び上記噴出管１０の下面にそれぞれ前後方向に延びる駆動ラック２１及び被動ラック２２を取付け、駆動ラック２１はアーム１５内の後部と前部とに回転自在に取り付けた一次ピニオン２３と遊動ピニオン２６に噛み合わせる。また、被動ラック２２は上記ブラケット７に取り付けた二次ピニオン２４に噛み合わせる。そして、上記一次ピニオン２３と二次ピニオン２４とを伝導具２５により連結する。
【００１０】
上記伝導具２５は伝導軸２５ａと反転ピニオン２５ｂとからなり、反転ピニオン２５ｂは上記アーム１５内の後部に二次ピニオン２４と同軸に配置して回転自在に取付けるとともに、上記一次ピニオン２３の後部に噛み合わせる。また、伝導軸２５ａは上記反転ピニオン２５ｂと二次ピニオン２４との軸心部間に配置してその両端を両者に一体的に連結する。これにより、上記操作具１６を前後動させることによって上記反転ピニオン２５ｂを一次ピニオン２３を介して正逆回転させ、さらに伝導軸２５ａを介して二次ピニオン２４を正逆回転させ、該二次ピニオン２４、次いで被動ラック２２を介して前述した噴出管１０を前後方向に往復動させる。１６ａは操作具１６の前端部の上面に取付けた楔形の操作片であり、該操作片１６ａは使用者がこの操作片１６ａに手（右手）を掛けることによって上記操作具１６の前後動を容易にするためのものである。
【００１１】
前述した支持台６に止水栓（ボール止水栓）３０を取り付け、該止水栓３０の受け口側に水道管に接続される導入ホース３１を、出口側に前述した供給ホース１１を接続する。上記止水栓３０と操作具１６との間に該操作具１６の前後動によって止水栓３０を開閉作動させるリンク機構３２を設ける。即ち、上記止水栓３０の弁軸３０ａにレバー３３を図３において右側方に向けて突出固定し、該レバー３３の先端（右端）にリンクロッド３４の後端を回動可能に連結する。そして、上記リンクロッド３４をレバー３３に対して前方かつ外側方に傾斜させ、その前端を操作具１６に回動可能に連結する。
【００１２】
この場合、上記止水栓３０は、図３において左回転（矢印Ｃ方向）されると開き、右回転されると閉じるようにしておく。また、上記レバー３３及びリンクロッド３４の長さとその交差角度は、操作具１６の前後の移動量（ストローク）によって止水栓３０が開、又は閉じるように設定しておく。
【００１３】
次に上記第１実施例の作動態様について説明する。まず、使用者が排便した後、上記操作具１６を図３に示すように矢印Ｂ（後方）方向に移動させると、一次ピニオン２３が図２において左回転、反転ピニオン２５ｂが右回転し、伝導軸２５ａを介して二次ピニオン２４が右回転し、該二次ピニオン２４によって被動ラック２２、従って噴出管１０が前方に移動されてその噴出口１０ａが便器Ａ内に露出することになる。また、これと連動してリンクロッド３４が後方に押されてレバー３３が矢印Ｃ（後方）方向に回動され、止水栓３０が開作動されることになる。これにより、洗浄水（水道水）が導入ホース３１から供給ホース１１に流れて噴出管１０に供給され、その噴出口１０ａから上方に向かって噴出し、上記使用者の排便部を洗浄することになる。この場合、上記操作具１６の矢印Ｂ（後方）方向への移動（洗浄操作）は、使用者が座った状態で手で引っ張る方向、つまり力の入れ易い方向となり、洗浄操作が容易となる。
【００１４】
次いで、使用者が上記操作具１６を図３において反矢印Ｂ（前方）方向に移動させると、図２において、一次ピニオン２３が右回転、反転ピニオン２５ｂが左回転し、伝導軸２５ａを介して二次ピニオン２４が左回転し、該二次ピニオン２４によって被動ラック２２、従って噴出管１０が後方に移動されてその噴出口１０ａが便器Ａ内から退避することになる。また、これと連動してリンクロッド３４が前方に引っ張られてレバー３３が反矢印Ｃ（前方）方向に回動され、止水栓３０が閉作動して洗浄水の噴出管１０への供給が停止されることになる。なお、上記操作具１６を前方に移動付勢するバネを設け、使用者が操作具１６を放した際にこのバネ力によって操作具１６を前方に移動、つまり初期位置に復帰させるようにしてもよい。
【００１５】
図４は本発明の第２実施例を示す。このものは、前述した反転ピニオン２５ｂを省略し、アーム１５内の後部に一次ピニオン２３を、前述した二次ピニオン２４と同軸に配置して回転自在に取付け、これら一次ピニオン２３と二次ピニオン２４とを伝導軸２５ａにより連結し、また、止水栓３０の開閉は前述と逆向き、即ち、レバー３３が図４において矢印Ｅ（右回転）方向に回動されると開き、左回動されると閉じるようにしたものである。その他は前述した第１実施例と略同様の構造となっている。
【００１６】
上記第２実施例によれば、操作具１６を図４に示すように矢印Ｄ（前方）方向に移動させると、一次ピニオン２３が右回転し、伝導軸２５ａを介して二次ピニオン２４が右回転し、該二次ピニオン２４によって被動ラック２２、従って噴出管１０が前方に移動されてその噴出口１０ａが便器内に露出することになる。また、これと連動してリンクロッド３４が前方に引っ張られてレバー３３が矢印Ｅ（前方）方向に回動され、止水栓３０が開作動されることになる。これにより、洗浄水（水道水）が噴出管１０に供給され、該噴出口１０ａから洗浄水が使用者の排便部に向かって噴出することになる。
【００１７】
次に、上記操作具１６を図４において反矢印Ｄ（後方）方向に移動させると、上記一次ピニオン２３、伝導軸２５ａ及び二次ピニオン２４が前述と逆向きに回転し、被動ラック２２を介して噴出管１０が後方に移動され、その噴出口１０ａが便器から退避することになる。また、これと連動してリンクロッド３４が後方に押されてレバー３３が反矢印Ｅ（後方）方向に回動され、止水栓３０が閉作動して洗浄水の噴出管１０への供給が停止されることになる。
【００１８】
なお、前述した遊動ピニオン２６はローラー、あるいは受け板に換えてもよい。この場合、上記ローラー、あるいは受け板に当接する操作具１６の前部側の下面は平滑な面とする。
【００１９】
図５、図６は第３実施例を示す。図５、図６において、６−１は支持台６のベースプレートである。該ベースプーレート６−１の左右中心部にブラケット７を介して前述と同様の吐出管１０を前後摺動可能に取り付け、その左部に前述と同様の止水栓３０を取り付ける。上記止水栓３０の弁軸３０ａにレバー３３を右方に向けて固定し、該レバー３３の右端部にピンＰ１を介して操作具１６−１を回動可能連結する。
【００２０】
上記操作具１６−１は前方に向けて延出させ、その後部側に右方に突出する連結片１６ｂを一体に有し、該連結片１６ｂに前後方向に配置した軟質性のリンクプレート３５の前端部をピンＰ２を介して回動可能に連結する。上記操作具１６−１と吐出管１０との中間部に位置するベースプーレート６−１に第１レバーブラケット３８を起立固定し、該第１レバーブラケット３８の上面に左右方向に延びる作動レバー３６の中心部をピンＰ４を介して回動可能に連結する。上記第１レバーブラケット３８の上面は吐出管１０の前下り傾斜角度と同じ角度で前下り傾斜させ、これにより上記作動レバー３６を前傾斜する上下軸心を中心として回動させる。
【００２１】
上記作動レバー３６は、その右端部に左右方向に長い長孔（図示省略）を形成し、該長孔を介してピンＰ５により前述した吐出管１０の後端部に回動可能に連結する。また、上記作動レバー３６の左端部は段状かつ水平に捻じり、該左端部をピンＰ３を介して上記リンクプレート３５の後端部に回動可能連結する。
【００２２】
上記ベースプーレート６−１の右端部に第２レバーブラケット３９を起立固定し、該第２レバーブラケット３９の上面に前述した作動レバー３６と反対側に延びるバランスレバー３７の右端部をピンＰ６を介して回動可能に連結する。このバランスレバー３７の左端部に左右方向に長い長孔３７ａを形成し、該長孔３７ａを介してピンＰ５により吐出管１０の後端部に回動可能に連結する。上記第２レバーブラケット３９の上面は吐出管１０の前下り傾斜角度と同じ角度で前下り傾斜させ、これにより、上記バランスレバー３７を前傾斜する上下軸心を中心として回動させる。図５において１６ａは操作具１６−１の前端部に取り付けたボタン形の操作片である。なお、上記操作具１６−１と作動レバー３６との連結は、球面軸受を有するボールジョイントにより連結するようにしてもよい。その他は前述した第１実施例と略同様の構造となっている。
【００２３】
上記第３実施例によれば、操作具１６−１を図６において矢印Ｂ（後方）方向に移動させると、同図の実線で示すように、レバー３３が矢印Ｃ方向に回動して止水栓３０が開作動され、同時にリンクプレート３５を介して作動レバー３６がピンＰ４を中心として時計針方向（矢印Ｆ方向）に回動され、噴出管１０がピンＰ５を介して前方に移動されてその噴出口１０ａが便器Ａ内に露出し、該噴出口１０ａから洗浄水（水道水）が上方に向かって噴出することになる。
【００２４】
この場合、作動レバー３６が上記矢印Ｆ方向に回動されると、バランスレバー３７が上記ピンＰ５を介して右端のピンＰ６を中心として反時計針方向（矢印Ｇ方向）に回動され、該バランスレバー３７の抵抗により、上記ピンＰ５が左右中立に保持されて前方に移動し、上記噴出管１０が前方に向けて円滑に移動されることになる。また、上記作動レバー３６の矢印Ｆ方向への回動によってその左端部が操作具１６−１の連結片１６に対して上方に偏倚すると、図６の実線で示すように、リンクプレート３５がＳ字状に湾曲し、上記作動レバー３６左端部の上方への偏倚を許容することになる。
【００２５】
次に、上記操作具１６−１を図６において反矢印Ｂ（前方）方向に移動させると、同図の仮想線で示すように、レバー３３、リンクプレート３５、作動レバー３６が前述と逆向きに回動され、噴出管１０が後方に移動されてその噴出口１０ａが便器から退避するとともに、止水栓３０が閉作動して洗浄水の噴出管１０への供給が停止されることになる。この場合、上記バランスレバー３７がピンＰ５を介して右端のピンＰ６を中心として時計針方向（矢印反Ｇ方向）に回動され、該バランスレバー３７の抵抗により、上記ピンＰ５が左右中立に保持されて後方に移動し、上記噴出管１０が円滑に後方に移動されることになる
【００２６】
図７は第４実施例を示す。図７において、１６−１は操作具、３６は作動レバーであり、これらは前述した第３実施例のものと略同様の構造となっている。３５−１は上記操作具１６−１の連結片１６ｂと作動レバー３６の左端部とを連結するリンクプレートであり、板金等の硬質板材により形成し、その前端部をピンＰ２により連結片１６ｂに回動可能に連結する。また、上記作動レバー３６の左端部に連結ピン４０を下方に向けて突出固定し、該連結ピン４０の下部を上記リンクプレート３５−１の後端部に形成したピン孔（図示省略）に回動かつ上下摺動可能に嵌合させる。なお、上記連結ピン４０は上記リンクプレート３５−１の後端部に上方に向けて突出固定し、その上部を作動レバー３６の左端部に回動かつ上下摺動可能に嵌合させるようにしてもよい。
【００２７】
これにより、操作片１６−１が図７において矢印Ｂ（後方）方向に移動されると、同図の仮想線で示すように、上記リンクプレート３５−１を介して作動レバー３６がピンＰ４を中心として矢印Ｆ方向に回動される。このとき、上記作動レバー３６の矢印Ｆ方向への回動によってその左端部がリンクプレート３５−１に対して上方に偏倚すると、図７の仮想線で示すように、該左端部に取り付けた連結ピン４０がリンクプレート３５−１の後端部のピン孔内で上方に移動し、上記作動レバー３６左端部の上方への偏倚を許容することになる。これにより、操作片１６−１の前後運動を作動レバー３６の回転運動に円滑に変換することができる。その他は前述した第３実施例と略同様の構造となっている。
【００２８】
図８は第５実施例を示す。図８において、１６−１は操作具、３６は作動レバーであり、これらは前述した第３実施例のものと略同様の構造となっている。上記操作具１６−１の連結片１６ｂの右端部に係止ピン４１を上方に向けて突出固定する。一方、上記作動レバー３６の左端部に左右方向の長孔３６ａを形成し、該長孔３６ａに上記係止ピン４１の上部側を上下及び左右摺動可能に嵌合させる。
【００２９】
これにより、操作片１６−１が図８において矢印Ｂ（後方）方向に移動されると、同図の仮想線で示すように、上記係止ピン４１を介して作動レバー３６がピンＰ４を中心として矢印Ｆ方向に回動される。このとき、上記作動レバー３６の矢印Ｆ方向への回動によってその左端部が上方に偏倚すると、該左端部に形成した長孔３６ａが係止ピン４１の上側に移動する。また、作動レバー３６の左端部が上記係止ピン４１に対して左右方向に偏倚すると、係止ピン４１が上記長孔３６ａ内を左右方向に摺動する。これにより、操作片１６−１の前後運動を作動レバー３６の回転運動に円滑に変換することができる。その他は前述した第３実施例と略同様の構造となっている。
【００３０】
【発明の効果】
以上の説明から明らかな如く、本発明の請求項１に係る発明は、便座の側部に設けた操作具を前後方向に移動させると、噴出管が便器内に出没するとともに、該噴出管が便器内に突出した際には止水栓が自動的に開いて噴出口から洗浄水が噴出し、該噴出管が便器内から退避した際には止水栓が自動的に閉じて上記噴出口からの洗浄水の噴出が停止されることになる。従って高価な部品及び電気を要することなく洗浄器を作動させることができ、安価になるとともに、漏電等がなく安全性が高くなる。しかも簡素な操作で洗浄器を作動させることができる。
また、請求項２に係る発明は、連動機構として、操作具及び噴出管に駆動ラック及び被動ラックを設け、これら各ラックに噛み合うピニオン及び各ピニオンを連結する伝導具を設けるようにしたので、構造簡素にして操作具の動きを噴出管に高精度に伝達することができる。
また、請求項３に係る発明は、連動機構として、操作具と吐出管との間に作動レバーを上下軸線を中心として回動可能に設け、該作動レバーの一方の端部を前記操作具に、他方の端部を前記吐出管に回動可能に連結するようにしたので、構造がさらに簡素になる。
請求項４に係る発明は、吐出管から作動レバーと反対側に延びるバランスレバーを設け、該バランスレバーの一方の端部を前記吐出管に、他方の端部を支持台側に回動可能に連結するようにしたので、構造を簡素にしながら、吐出管の作動を安定させることができる。
また、請求項５に係る発明は、前記止水栓をボール止水栓としたので、少ない回転角度で止水栓が開閉し、操作具の前後移動が少なくなり、小型にすることができる。
【図面の簡単な説明】
【図１】本発明が適用される洗浄器付き便器の斜視図である。
【図２】本発明の第１実施例を示す説明用斜視図である。
【図３】図２の部分平面図である。
【図４】本発明の第２実施例を示す説明用斜視図である。
【図５】本発明の第３実施例による作動初期時の要部斜視図である。
【図６】本発明の第３実施例による作動状態を示す要部斜視図である。
【図７】本発明の第４実施例を示す部分拡大斜視図である。
【図８】本発明の第５実施例を示す部分拡大斜視図である。
【符号の説明】
１　　洗浄器付き便座
２　　便座
３　　ホルダー
４　　カバー
５　　洗浄器
６　　支持台
６−１支持台のベースプレート
７　　ブラケット
７ａ　ガイド溝
１０　　噴出管
１０ａ　噴出口
１１　　供給ホース
１５　　アーム
１５ａ　ガイド溝
１６（１６−１）　　操作具
１６ａ　操作片
１６ｂ　連結片
２０（２０−１）　　連動機構
２１　　駆動ラック
２２　　被動ラック
２３　　一次ピニオン
２４　　二次ピニオン
２５　　伝導具
２５ａ　伝導軸
２５ｂ　反転ピニオン
２６　　遊動ピニオン
３０　　止水栓
３１　　導入ホース
３２　　リンク機構
３３　　レバー
３４　　リンクロッド
３５　　リンクプレート
３６　　作動レバー
３６ａ　長孔
３７　　バランスレバー
３７ａ　長孔
３８　　第１レバーブラケット
３９　　第２レバーブラケット
４０　　連結ピン
４１　　係止ピン
【図１】
2004027816.tif 000003
【図２】
2004027816.tif 000004
【図３】
2004027816.tif 000005
【図４】
2004027816.tif 000006
【図５】
2004027816.tif 000007
【図６】
2004027816.tif 000008
【図７】
2004027816.tif 000009
【図８】
2004027816.tif 000010